(57)【要約】【課題】操作性を向上させる。【解決手段】デジタルテレビジョン表示装置１００は、キーコンテンツに対する他のコンテンツ各々との間の関連度を、コンテンツの内容の類似性に基づいて、項目毎に算出する関連度算出部１０４と、キーコンテンツを示す表示情報の位置を基準として、項目毎に割り当てられた方向に存在する表示領域上に、当該項目について関連度が高い他のコンテンツの表示情報を配置した関連コンテンツ一覧画面を、上下左右に画面移動が可能な全体表示モードとして、表示部１７０に表示する表示制御部１０６と、特定の操作を受け付ける操作受付部１０１と、を備え、表示制御部１０６は、特定の操作を受け付けた場合に、いずれか一つの項目に割り当てられた方向及びその反対方向に限り、画面移動が可能な項目表示モードで、キーコンテンツの表示情報と、一つの項目について関連度の高い他のコンテンツの表示情報を表示すること、を特徴とする。【選択図】図１
2011060145.tif 000002
【特許請求の範囲】
【請求項１】
検索の基点となるコンテンツであるキーコンテンツに対する、他のコンテンツ各々と、の間の関連度を、コンテンツの内容の類似性に基づいて、項目毎に算出する関連度算出手段と、
特定の操作を受け付ける受付手段と、
前記キーコンテンツを示す表示情報の位置を基準として、前記項目毎に割り当てられた方向を示す項目方向に存在する表示領域上に、当該項目について関連度が高い前記他のコンテンツの表示情報を配置した一覧情報を、各項目方向に画面移動が可能な第１の表示モードとして表示器に表示し、前記受付手段が前記特定の操作を受け付けた場合に、いずれか一つの項目方向及びこの反対方向に限り、画面移動が可能な第２の表示モードで、前記キーコンテンツの表示情報と、当該項目方向を割り当てた項目について関連度の高い前記他のコンテンツの表示情報を表示する表示制御手段と、
を備えることを特徴とする表示処理装置。
【請求項２】
前記受付手段が受け付ける前記特定の操作は、前記表示領域上で、前記いずれか一つの項目が割り当てられた方向で最外周に配置されている前記他のコンテンツの表示情報の選択を受け付けること、前記いずれか一つの項目が割り当てられた項目方向で最外周に配置されている前記他のコンテンツからさらに外側にフォーカスを移動させる操作を受け付けること、又は前記いずれか一つの項目の選択を受け付けること、
を特徴とする請求項１に記載の表示処理装置。
【請求項３】
前記受付手段は、さらに、前記表示制御手段が前記第２の表示モードで表示を行っている際に、前記いずれか一つの項目に割り当てられた項目方向で最外周に配置されている他のコンテンツの表示情報を選択する操作を受け付け、
前記表示制御手段は、さらに、前記第２の表示モードで、前記項目方向で最外周に配置されている他のコンテンツの表示情報を選択する操作を受け付けた場合に、キーコンテンツの表示情報を残し、他のコンテンツの表示情報を当該項目方向と反対の方向に、表示情報一個分移動させる表示を行うこと、
を特徴とする請求項１又は２に記載の表示処理装置。
【請求項４】
前記表示制御手段は、さらに、前記第２の表示モードで、表示情報一個分移動させる表示を行うことで、前記キーコンテンツの前記表示情報と重畳する前記他のコンテンツの表示情報について、非表示にする又は前記キーコンテンツの前記表示情報を優先して表示すること、
を特徴とする請求項３に記載の表示処理装置。
【請求項５】
前記表示制御手段は、さらに、前記項目の方向として、前記表示領域内の縦方向と横方向とが存在する場合、前記表示領域内の横方向に、優先度が高い項目を割り当てて表示すること、
を特徴とする請求項１乃至４のいずれか一つに記載の表示処理装置。
【請求項６】
前記受付手段は、さらに、前記表示制御手段で第２の表示モードで表示している際に、前記特定の操作と異なる、他の特定の操作を受け付け、
前記表示制御手段は、さらに、前記受付手段が前記他の特定の操作を受け付けた際に、前記第１の表示モードで表示すること、
を特徴とする請求項１乃至５のいずれか一つに記載の表示処理装置。
【請求項７】
前記受付手段が受け付ける前記他の特定の操作は、最内周の前記他のコンテンツの表示情報の選択を受け付けること、予め定められたボタンの押下を受け付けること、
を特徴とする請求項６に記載の表示処理装置。
【請求項８】
前記受付手段は、さらに、前記第２の表示モードで、前記項目方向で最外周に表示される前記他のコンテンツの表示情報を選択する操作を受け付け、
前記表示制御手段は、前記第２の表示モードで、当該最外周に表示される前記他のコンテンツの表示情報を選択する操作を受け付けた場合、選択された当該他のコンテンツの表示情報が、前記項目方向の最外周の一つ前として表示されるよう、前記他のコンテンツの表示情報を前記項目方向と反対方向に移動表示を行うこと、
を特徴とする請求項１乃至７のいずれか一つに記載の表示処理装置。
【請求項９】
表示処理装置で実行される表示処理方法であって、
関連度算出手段が、検索の基点となるコンテンツであるキーコンテンツに対する、他のコンテンツ各々と、の間の関連度を、コンテンツの内容の類似性に基づいて、項目毎に算出する関連度算出ステップと、
表示制御手段が、前記キーコンテンツを示す表示情報の位置を基準として、前記項目毎に割り当てられた方向を示す項目方向に存在する表示領域上に、当該項目について関連度が高い前記他のコンテンツの表示情報を配置した一覧情報を、各項目方向に画面移動が可能な第１の表示モードとして、表示器に表示する第１の表示ステップと、
受付手段が、特定の操作を受け付ける受付ステップと、
表示制御手段が、前記受付ステップが前記特定の操作を受け付けた場合に、いずれか一つの項目方向及びこの反対方向に限り、画面移動が可能な第２の表示モードで、前記キーコンテンツの表示情報と、当該項目方向を割り当てた項目について関連度の高い前記他のコンテンツの表示情報を表示する第２の表示ステップと、
を有することを特徴とする表示処理方法。
【請求項１０】
前記受付ステップが受け付ける前記特定の操作は、前記表示領域上で、前記いずれか一つの項目が割り当てられた方向で最外周に配置されている前記他のコンテンツの表示情報の選択を受け付けること、前記いずれか一つの項目が割り当てられた項目方向で最外周に配置されている前記他のコンテンツからさらに外側にフォーカスを移動させる操作を受け付けること、又は前記いずれか一つの項目の選択を受け付けること、
を特徴とする請求項９に記載の表示処理方法。
【請求項１１】
前記受付ステップは、さらに、前記表示制御手段が前記第２の表示モードで表示を行っている際に、前記いずれか一つの項目に割り当てられた項目方向で最外周に配置されている他のコンテンツの表示情報を選択する操作を受け付け、
前記第２の表示ステップは、さらに、前記第２の表示モードで、前記項目方向で最外周に配置されている他のコンテンツの表示情報を選択する操作を受け付けた場合に、キーコンテンツの表示情報を残し、他のコンテンツの表示情報を当該項目方向と反対の方向に、表示情報一個分移動させる表示を行うこと、
を特徴とする請求項９又は１０に記載の表示処理方法。
【請求項１２】
前記第２の表示ステップは、さらに、前記第２の表示モードで、表示情報一個分移動させる表示を行うことで、前記キーコンテンツの前記表示情報と重畳する前記他のコンテンツの表示情報について、非表示にする又は前記キーコンテンツの前記表示情報を優先して表示すること、
を特徴とする請求項１１に記載の表示処理方法。
【請求項１３】
前記第１の表示ステップは、さらに、前記項目の方向として、前記表示領域内の縦方向と横方向とが存在する場合、前記表示領域内の横方向に、優先度が高い項目を割り当てて表示すること、
を特徴とする請求項９乃至１２のいずれか一つに記載の表示処理方法。
【請求項１４】
前記受付手段は、さらに、前記表示制御手段で第２の表示モードで表示している際に、前記特定の操作と異なる、他の特定の操作を受け付け、
前記第１の表示ステップは、さらに、前記受付手段が前記他の特定の操作を受け付けた際に、前記第１の表示モードで表示すること、
を特徴とする請求項９乃至１３のいずれか一つに記載の表示処理方法。
【請求項１５】
前記受付手段が受け付ける前記他の特定の操作は、最内周の前記他のコンテンツの表示情報の選択を受け付けること、予め定められたボタンの押下を受け付けること、
を特徴とする請求項１４に記載の表示処理方法。
【請求項１６】
前記受付手段は、さらに、前記第２の表示モードで、前記項目方向で最外周に表示される前記他のコンテンツの表示情報を選択する操作を受け付け、
前記第２の表示ステップは、当該最外周に表示される前記他のコンテンツの表示情報を選択する操作を受け付けた場合、選択された当該他のコンテンツの表示情報が、前記項目方向の最外周の一つ前として表示されるよう、前記他のコンテンツの表示情報を前記項目方向と反対方向に移動表示を行うこと、
を特徴とする請求項９乃至１５のいずれか一つに記載の表示処理方法。
【発明の詳細な説明】
【技術分野】
【０００１】
本発明は、表示処理装置、及び表示処理方法に関する。
【背景技術】
【０００２】
近年、ＡＶ機器のコンテンツ（映像音声データ）保存能力の拡大や機器内に留まらない機器間又はネットワーク上に存在するコンテンツとのシームレス性の拡大などにより、ユーザがアクセス可能なコンテンツ数は急速に増加してきている。そして、このようなコンテンツを選択視聴するための受信装置が開示されている。
【０００３】
ところで、デジタルテレビジョン受信装置を含むＡＶ機器などでは、様々なコンテンツの閲覧が可能となっている。例えば、既にＨＤＤ（Hard  Disk  Drive）等の記憶媒体に保存されたコンテンツや、デジタル放送されているコンテンツなどがある。また、提供されている電子番組情報(ＥＰＧ：Electronic  Program  Guide)上により、将来放送する予定のコンテンツの確認も可能となっている。このように数が増加したコンテンツをユーザに選択させるための画面をどのように提供するかが課題となる。
【０００４】
特許文献１では、コンテンツが２次元平面上に表示するインターフェースに関する技術が記載されている。この特許文献１に記載された技術では、類似度を距離で表した２次元平面上に、コンテンツを配置しているため、所望するコンテンツの閲覧が容易になる。
【先行技術文献】
【特許文献】
【０００５】
【特許文献１】特開２００２−１７５３２１号公報
【発明の概要】
【発明が解決しようとする課題】
【０００６】
しかしながら、特許文献１に記載された技術は、２次元平面上に類似度を距離で表した上で複数のコンテンツを配置しているので、コンテンツが膨大な場合に画面のスクロール操作が煩雑であるのに加えて、各コンテンツを適切に分類していないため、所望するコンテンツがいずれの方向にあるのかユーザが判断するのが難しく、所望するコンテンツを見つけ出せないという問題が有る。
【０００７】
本発明は、上記に鑑みてなされたものであって、所望するコンテンツを見つけ出すまでの操作を容易にする表示処理装置、及び表示処理方法を提供することを目的とする。
【課題を解決するための手段】
【０００８】
上述した課題を解決し、目的を達成するために、本発明にかかる表示処理装置は、検索の基点となるコンテンツであるキーコンテンツに対する、他のコンテンツ各々と、の間の関連度を、コンテンツの内容の類似性に基づいて、項目毎に算出する関連度算出手段と、特定の操作を受け付ける受付手段と、前記キーコンテンツを示す表示情報の位置を基準として、前記項目毎に割り当てられた方向を示す項目方向に存在する表示領域上に、当該項目について関連度が高い前記他のコンテンツの表示情報を配置した一覧情報を、各項目方向に画面移動が可能な第１の表示モードとして表示器に表示し、前記受付手段が前記特定の操作を受け付けた場合に、いずれか一つの項目方向及びこの反対方向に限り、画面移動が可能な第２の表示モードで、前記キーコンテンツの表示情報と、当該項目方向を割り当てた項目について関連度の高い前記他のコンテンツの表示情報を表示する表示制御手段と、を備えることを特徴とする。
【０００９】
また、本発明にかかる表示処理方法は、表示処理装置で実行される表示処理方法であって、関連度算出手段が、検索の基点となるコンテンツであるキーコンテンツに対する、他のコンテンツ各々と、の間の関連度を、コンテンツの内容の類似性に基づいて、項目毎に算出する関連度算出ステップと、表示制御手段が、前記キーコンテンツを示す表示情報の位置を基準として、前記項目毎に割り当てられた方向を示す項目方向に存在する表示領域上に、当該項目について関連度が高い前記他のコンテンツの表示情報を配置した一覧情報を、各項目方向に画面移動が可能な第１の表示モードとして、表示器に表示する表示制御ステップと、受付手段が、特定の操作を受け付ける受付ステップと、表示制御手段が、前記受付ステップが前記特定の操作を受け付けた場合に、いずれか一つの項目方向及びこの反対方向に限り、画面移動が可能な第２の表示モードで、前記キーコンテンツの表示情報と、当該項目方向を割り当てた項目について関連度の高い前記他のコンテンツの表示情報を表示する第２の表示ステップと、を有することを特徴とする。
【発明の効果】
【００１０】
本発明によれば、表示情報を検索する際の操作性が向上するという効果を奏する。
【図面の簡単な説明】
【００１１】
【図１】図１は、実施の形態にかかるデジタルテレビジョン表示装置の構成を示すブロック図である。
【図２】図２は、ＴＶ番組をコンテンツとした場合におけるメタデータの一例を示す説明図である。
【図３】図３は、電子番組情報記憶部が電子番組情報を記憶するテーブル構造の例を示す図である。
【図４】図４は、表示部に表示される、現在放送中及び放送予定のコンテンツが配置された電子番組表の例を示した図である。
【図５】図５は、図４などの表示画面で、番組検索に対応するボタンが押下された場合に表示部が表示する画面の例を示した図である。
【図６−１】図６−１は、表示情報の一例を示す図である。
【図６−２】図６−２は、表示情報の一例を示す図である。
【図７−１】図７−１は、項目と項目軸と領域を説明する模式図である。
【図７−２】図７−２は、項目と項目軸と領域を説明する模式図である。
【図８】図８は、関連コンテンツ一覧情報を説明する模式図である。
【図９】図９は、表示制御部が、上下左右のそれぞれの操作方向に対して配置する、コンテンツの表示情報の例を示した図である。
【図１０】図１０は、表示制御部が、コンテンツの表示情報の配置する際に基準となる線を示した図である。
【図１１】図１１は、キーコンテンツを中心として他のコンテンツの表示情報が配置された関連コンテンツ一覧情報を説明する模式図である。
【図１２】図１２は、関連コンテンツ一覧情報を説明する模式図である。
【図１３】図１３は、関連コンテンツ一覧情報を説明する模式図である。
【図１４】図１４は、関連コンテンツ一覧情報を説明する模式図である。
【図１５】図１５は、キーコンテンツの表示情報と他のコンテンツの表示情報とを配置した関連コンテンツ一覧情報の一例を示す図である。
【図１６】図１６は、操作受付部が特定の操作を受け付けた場合の項目表示モードに切り替わる際の画面遷移を示した図である。
【図１７】図１７は、操作受付部が特定の操作を受け付けた場合の項目表示モードに切り替わる際の画面遷移の変形例を示した図である。
【図１８】図１８は、項目表示モードで表示される、項目毎の画面例を示した図である。
【図１９】図１９は、表示制御部が表示する、項目表示モードにおける関連コンテンツ一覧画面の例を示した図である。
【図２０】図２０は、表示制御部による、全体表示モードと、項目表示モードとの切替を示した説明図である。
【図２１】図２１は、項目表示モードにおいて、表示制御部が表示する関連コンテンツ一覧画面でフォーカス移動する際の画面遷移を示した説明図である。
【図２２】図２２は、項目表示モードにおいて、表示制御部が表示する関連コンテンツ一覧画面でフォーカス移動する際の画面遷移の変形例を示した説明図である。
【図２３】図２３は、本実施の形態にかかるデジタルテレビジョン表示装置における関連コンテンツ一覧画面の表示モード切替処理の手順を示すフローチャートである。
【図２４】図２４は、ＰＣ等の表示装置が、全体表示モードで表示する関連コンテンツ一覧情報の例を示した図である。
【発明を実施するための形態】
【００１２】
以下に添付図面を参照して、この発明にかかる表示処理装置、及び表示処理方法の最良な実施の形態を詳細に説明する。なお、以下の実施の形態においては、本発明にかかる表示処理装置、及び表示処理方法をデジタルテレビジョン（Television：ＴＶ）表示装置に適用した例を示すが、これに限定されることなく、例えば映像等を表示するＡＶ機器などであれば、本発明を適用することができる。
【００１３】
（第１の実施の形態）
第１の実施の形態について図１を用いて説明する。まず、デジタルテレビジョン表示装置１００の機能構成について説明する。図１は、実施の形態にかかるデジタルテレビジョン表示装置１００の構成を示すブロック図である。図１に示すように、デジタルテレビジョン表示装置１００は、電子番組情報記憶部１５０と、録画番組記憶部１６０と、表示部１７０と、接続Ｉ／Ｆ(InterFace)１８０と、通信部１９０とを備えている。そして、デジタルテレビジョン表示装置１００は、接続Ｉ／Ｆ１８０を介して外部録画番組記憶部１６１と、さらに通信部１９０を介して、外部ネットワーク上に配置されたデジタルテレビジョン表示装置１９５と、接続されている。
【００１４】
また、デジタルテレビジョン表示装置１００は、ＡＳＩＣやＣＰＵ等の処理装置、デジタルテレビジョン表示装置１００の動作を制御する所定のプログラムが格納されたＲＯＭや当該処理装置のワーク領域となるＲＡＭ等の記憶装置を備えており（何れも図示せず）、当該処理装置と記憶装置に格納されたプログラムとの協働により、操作受付部１０１、メタデータ検索部１０２、メタデータ取得部１０３、関連度算出部１０４、表示情報生成部１０５、表示制御部１０６、映像再生部１０７、放送受信部１０８の各機能部を実現する。本実施の形態では、ＴＶ番組等を録画した映像をコンテンツとする。
【００１５】
図１に示すデジタルテレビジョン表示装置１００では、現在放送中のコンテンツの他、ユーザの操作等に基づいて録画番組記憶部１６０に記憶されたコンテンツ（以下、ＰＶＲコンテンツと称す）を視聴できる。
【００１６】
また、デジタルテレビジョン表示装置１００は、放送局の数だけ、図示しないデジタル放送チューナを備えている。そして、これらのデジタル放送チューナにより、録画番組記憶部１６０に対してコンテンツが自動的に記録される。この自動的に記録されたコンテンツを、自動録画コンテンツと称す。この自動録画コンテンツは、ユーザからＰＶＲコンテンツとして保存するような操作がなされない限り、録画されてから一週間が経過した時点で自動的に削除されるものとする。これにより、本実施の形態にかかるデジタルテレビジョン表示装置１００では、既に放送済みの一週間分のコンテンツを視聴できる。
【００１７】
また、１週間分の自動録画コンテンツを保持することに伴い、デジタルテレビジョン表示装置１００は、過去１週間分の電子番組表も、後述する電子番組情報記憶部１５０で保持する。これにより、ユーザは、過去一週間のコンテンツについても、電子番組表（以下、過去電子番組表と称す）から選択することで視聴することができる。
【００１８】
そして、本実施の形態にかかるデジタルテレビジョン表示装置１００では、現在放送中及び放送予定のコンテンツと、ＰＶＲコンテンツと、自動録画コンテンツと、のいずれもコンテンツとする。
【００１９】
録画番組記憶部１６０は、映像等のコンテンツを記憶するＨＤＤやメモリ等の記憶媒体である。また、録画番組記憶部１６０は、コンテンツとともに提供されたメタデータを、当該コンテンツに対応付けて記憶している。
【００２０】
本実施の形態にかかるメタデータは、コンテンツの内容を示す情報（コンテンツ情報）とする。そして、録画番組記憶部１６０では、メタデータを、コンテンツの内容を分類する項目ごとに格納している。具体的には、録画番組記憶部１６０は、当該コンテンツのタイトル、チャンネル、放送日時、出演者、番組内容（番組内容を示すキーワードや文章）、ジャンル等の各項目に対して、それぞれの内容を示すコンテンツ情報（換言すればコンテンツのメタデータ）を対応付けて記憶している。
【００２１】
図２は、ＴＶ番組をコンテンツとした場合におけるメタデータの一例を示す説明図である。図２に示すメタデータは、ＴＶ番組を録画したコンテンツに関する情報であり、ＴＶ番組のタイトル「お昼のコメディーショー」、チャンネル「○×放送」、放送日時「２００８年８月１日  １２：００〜１２：４０」、出演者「○○△、□□××」、番組内容「今旬の〜世界にいざなう」、ジャンル「お笑い」などの情報が記憶されている。
【００２２】
なお、上記では、メタデータが予め設定された状態で提供される態様を説明したが、このような態様に限定されるものではない。例えば、リモートコントローラ（以下、リモコンとも称す）９０やＰＣのキーボードなどの入力装置などを介してユーザから入力された情報をメタデータとして、コンテンツと関連付けて録画番組記憶部１６０に記憶してもよい。
【００２３】
電子番組情報記憶部１５０は、電子番組表（ＥＰＧ：Electronic  Program  Guide）を管理・配信している外部サーバ、またはＴＶ放送から取得した電子番組表を記憶するＨＤＤやメモリ等の記憶媒体である。具体的には、インターネットなどのネットワーク網に接続されたサービス提供者のサーバ装置から、通信部１９０を介してＴＶ、ＣＡＴＶ、ＣＳ放送、ＢＳ放送などの電子番組表を取得、又はＴＶ放送により放送された電子番組表を、アンテナやケーブル（不図示）を介して受信し、取得又は受信した電子番組表を記憶している。また、電子番組情報記憶部１５０は、コンテンツ毎に様々なステータスを記憶している。
【００２４】
図３は、電子番組情報記憶部１５０が電子番組情報を記憶するテーブル構造の例を示す図である。図３に示すように、電子番組情報記憶部１５０は、コンテンツ（番組）毎に、放送日時、番組説明、放送局名、放送時刻、ステータスなどを対応付けて記憶する。
【００２５】
番組説明は、コンテンツを説明する情報（メタデータ）として、例えば、タイトル、人物、キーワード、ジャンルなどの情報を保持している。これらの情報は、電子番組表から取得した情報の他に、インターネットなどから取得した情報であっても良い。
【００２６】
ステータスは、各コンテンツの現在の状況を示す情報として、例えば、放送中、予約設定、録画中、予約録画済、アーカイブ中、アーカイブ済などの情報を、対応付けて保持する。
【００２７】
各ステータスの“○”の設定の有無により、各コンテンツがいずれの状態にあるのか判定できる。例えば、“放送中”が“○”であれば、当該コンテンツが現在放送中であることを意味する。“予約設定”が“○”であれば、当該コンテンツが放送された際に、ＰＶＲコンテンツとして保持することを意味する。“録画中”が“○”であれば、当該コンテンツを現在ＰＶＲコンテンツとして録画中であることを意味する。
【００２８】
また、“予約録画済”が“○”であれば、当該コンテンツがＰＶＲコンテンツとして保持されていることを意味する。また、“アーカイブ中”が“○”であれば、当該コンテンツを自動録画コンテンツとして録画中であることを意味する。また、“アーカイブ済”が“○”であれば、当該コンテンツが自動録画コンテンツとして録画済みであることを意味する。
【００２９】
つまり、電子番組情報記憶部１５０のステータスを参照することで、各コンテンツが、放送中及び放送予定のコンテンツ、自動録画コンテンツ、及びＰＶＲコンテンツのいずれかであるか特定できる。
【００３０】
そして、メタデータ取得部１０３が、放送日時、番組説明、放送局名、及び放送時刻を取得し、表示制御部１０６が、これら情報に基づいて、電子番組表や、様々なコンテンツ一覧画面など生成、表示のための処理を行う。
【００３１】
ここで、電子番組表には、現在から未来のある時点（例えば、１週間後）までに放送される番組の一覧情報のほか、現在から過去のある時点（例えば１週間前）までに放送された番組（自動録画コンテンツ）の一覧情報（過去電子番組表）も含まれている。これにより、ユーザが過去電子番組表を参照し、当該過去電子番組表から選択したコンテンツに基づいて、自動録画コンテンツを視聴できる。
【００３２】
なお、電子番組情報記憶部１５０に記憶された番組に関する情報は、定期的に更新されるものとする。例えば、時間経過やユーザの操作に応じて各ステータスの設定が更新されたり、各コンテンツを示すレコードの追加、削除が行われたりする。
【００３３】
接続Ｉ／Ｆ(InterFace)１８０は、外部録画番組記憶部１６１と接続するインターフェースとする。これにより、デジタルテレビジョン表示装置１００は、接続Ｉ／Ｆ(InterFace)１８０を介して、外部録画番組記憶部１６１に対してコンテンツを記録できる。また、外部録画番組記憶部１６１は、録画番組記憶部１６０と同様に、コンテンツとともに提供されたメタデータを、当該コンテンツに対応付けて記憶している。なお、外部録画番組記憶部１６１に格納されたコンテンツに関する電子番組情報は、録画番組記憶部１６０と同様に、電子番組情報記憶部１５０に格納される。
【００３４】
通信部１９０は、他のデジタルテレビジョン表示装置１９５など、コンテンツを格納している様々な装置に対して、ネットワークを介して通信する。通信部１９０は、他の装置との間で、コンテンツ（ＰＶＲコンテンツや、自動録画コンテンツ）等を送受信する他に、これらコンテンツのメタデータや、さらには、デジタルテレビジョン表示装置１９５が保持している電子番組表についても送受信できる。これにより、デジタルテレビジョン表示装置１００であっても、他のデジタルテレビジョン表示装置１９５が保持しているコンテンツ等について検索、表示等を行うことができる。
【００３５】
つまり、デジタルテレビジョン表示装置１００では、自装置が保持しているコンテンツのみならず、他の装置が保持しているコンテンツについても、ユーザがいずれの装置に格納されているのか意識することなく、視聴や検索対象として利用できる。
【００３６】
表示部１７０は、文字や画像を表示する液晶画面（ＬＣＤ）などであり、受信したＴＶ番組などのコンテンツや記憶されているコンテンツ、電子番組表などを表示するものである。
【００３７】
図４は、表示部１７０に表示される、現在放送中及び放送予定のコンテンツが配置された電子番組表の例を示した図である。図４に示すように、デジタルテレビジョン表示装置１００の表示画面４０１内に、電子番組表４０２が表示される。そして、電子番組表４０２内には、日時表示部４１１と、放送局別枠４１２とが存在する。そして、放送局別枠４１２内には、放送局を示すサムネイル４１３と、放送局表示部４１４と、放送局ごとの番組欄４１５とが表示されている。さらには、時刻表示部４１６が、各コンテンツの提供される時刻を視認可能に表示する。さらには、現在の時刻を示す現在時刻バー４１７が表示される。
【００３８】
そして、図４に示すように、電子番組表の操作や、ほかのコンテンツ一覧画面に移動するための操作案内部４０３が表示される。操作案内部４０３に示された各項目は、リモコン９０の図示しないカラーボタンに対応している。つまり、これらボタンが押下されることで、各項目に示された操作が行われる。例えば、番組検索４０３ａに対応するリモコン９０のカラーボタンが押下されることで、現在放送中又は放送予定のコンテンツを検索するための番組検索画面が表示される。
【００３９】
なお、表示部１７０は、コンテンツの種類に応じて、自動録画コンテンツが配置された過去電子番組表や、ＰＶＲコンテンツの一覧表などの表示も行う。表示形式は従来から周知の形式を含め、どのような形式でもよい。
【００４０】
図５は、図４などの表示画面で、番組検索４０３ａに対応するボタンが押下された場合に表示部１７０が表示する画面の例を示した図である。図５に示すように、ユーザから番組検索が選択された場合に、表示部１７０が、ウィンドウ５０１を表示する。このウィンドウ５０１には、検索ナビ５０１ａと、関連番組一覧５０１ｂとが選択可能に表示される。そして、ユーザが、リモートコントローラ９０で、関連番組一覧５０１ｂを選択した場合に、デジタルテレビジョン表示装置１００においては、当該表示画面で選択されていたコンテンツ（例えばコンテンツ５１１）に関連するコンテンツの検索が行われる。
【００４１】
また、検索ナビ５０１ａが選択された場合は、従来からの使用されている検索画面に移行するものとして説明を省略する。一方、関連番組一覧５０１ｂが選択された場合には、表示部１７０が、関連コンテンツの一覧情報を表示する。
【００４２】
また、表示部１７０は、ユーザがコンテンツの検索を行うために、後述する表示情報生成部１０５により生成されたコンテンツの内容を表わす表示情報（図６−１、６−２参照）を、後述する表示制御部１０６によって配置した関連コンテンツ一覧画面（図８参照）を表示する。また、表示部１７０は、各項目を、関連コンテンツ一覧画面内に表示する（図８参照）。
【００４３】
放送受信部１０８は、ＴＶ放送により放送された映像のコンテンツ（ＴＶ番組）を、アンテナやケーブル（不図示）を介して受信するものである。
【００４４】
映像再生部１０７は、ユーザが再生を所望する映像のコンテンツ、すなわち放送受信部１０８により受信したＴＶ番組などのコンテンツ、または録画番組記憶部１６０に記憶されている映像のコンテンツを取得して、取得したコンテンツをデコード（再生）して表示制御部１０６に送出するものである。
【００４５】
操作受付部１０１は、操作機器が操作されたことを認識し、その操作を受付けるものである。操作機器としては、例えば、操作ボタンが設けられたリモコン９０や、キーボード（不図示）、マウス等であり、リモコン９０での操作は、操作ボタンの押下であり、キーボードでの操作はキーの操作であり、マウスでの操作はマウスの移動や操作ボタンの押下等である。
【００４６】
操作受付部１０１は、検索の基準（キー）として用いられるコンテンツ（キーコンテンツ）の選択を受け付ける。具体的には、操作受付部１０１は、現在放送中のコンテンツ及び放送予定のコンテンツ、自動録画コンテンツ、並びにＰＶＲコンテンツのうち、表示部１７０に現在表示されているカテゴリに属するコンテンツの選択を受け付ける。
【００４７】
例えば、ユーザが複数のコンテンツから所望のコンテンツを検索し、さらにそのコンテンツと関連するコンテンツを検索する場合、表示部１７０に表示された電子番組表に表示された複数のコンテンツから検索の中心（キー）となるコンテンツ（キーコンテンツ）を、操作機器でユーザが選択すると、操作受付部１０１は、このキーコンテンツの選択操作を受け付け、検索の基点（キー）として特定すると共に、コンテンツの検索を行う旨の操作を受け付ける。
【００４８】
なお、キーコンテンツの特定手法としては、ユーザによるキーコンテンツの選択に制限するものではなく、システム側でキーコンテンツを特定してもよい。また、図５の表示画面から関連コンテンツ一覧画面に移動してきた場合には、図５で選択されていたコンテンツ５１１をキーコンテンツとしても良い。また、再生中のコンテンツをキーコンテンツとしてもよく、その場合には、ユーザがコンテンツの再生中に操作機器を操作した場合、操作受付部１０１は、その再生中のコンテンツをキーコンテンツとする選択操作、すなわちコンテンツの検索を行う旨の操作を受け付ける。
【００４９】
さらに、操作受付部１０１は、詳細は後述するが、表示部１７０に表示された複数のコンテンツの表示情報が表示された関連コンテンツ一覧画面（図８参照）から、注目するコンテンツの表示情報に対してフォーカスする操作を受け付ける。なお、関連コンテンツ一覧画面とは、キーコンテンツと関連度が高い他のコンテンツが配置された一覧画面とする。
【００５０】
メタデータ取得部１０３は、操作受付部１０１により、キーコンテンツの選択操作を受け付けた場合、表示対象となる全てのコンテンツ（キーコンテンツおよびキーコンテンツ以外の他のコンテンツ）のメタデータを取得する。具体的には、メタデータ取得部１０３は、コンテンツのメタデータを録画番組記憶部１６０から取得する。
【００５１】
また、メタデータ取得部１０３は、電子番組情報記憶部１５０に記憶されている電子番組表からコンテンツのメタデータを取得する。
【００５２】
メタデータ検索部１０２は、操作受付部１０１により、キーコンテンツの選択操作を受け付けた場合、メタデータ取得部１０３により取得したコンテンツのメタデータから、キーコンテンツのメタデータを検索し、検索したキーコンテンツのメタデータを関連度算出部１０４に送出する。さらに、メタデータ検索部１０２は、メタデータ取得部１０３により取得したキーコンテンツのメタデータから、関連度算出部１０４によりキーコンテンツとの関連度を算出する対象となる他のコンテンツのメタデータを検索し、検索した他のコンテンツのメタデータを関連度算出部１０４に送出する。
【００５３】
また、メタデータ検索部１０２は、操作受付部１０１により、キーコンテンツの選択操作を受け付けた場合、メタデータ取得部１０３により取得した全てのコンテンツのメタデータを、表示情報生成部１０５に送出する。
【００５４】
関連度算出部１０４は、メタデータ検索部１０２から送出されたキーコンテンツのメタデータと他のコンテンツのメタデータとに基づいて、キーコンテンツに対する他のコンテンツ各々の関連度を、項目毎（例えば、タイトル、チャンネルごと）に算出する。具体的に、関連度ＲＭの算出は、下記式（１）を用いて算出する。
【００５５】
【数１】
2011060145.tif 000003
【００５６】
上記式（１）において、Ｎはメタデータ取得部１０３で取得可能なメタデータの総数を意味している。また、キーコンテンツに対応するメタデータＭ１１（ｎ）、いずれかの他のコンテンツに対応するメタデータＭ２１（ｎ）の「（ｎ）」は、メタデータ取得部１０３で取得されるｎ番目のメタデータを意味している。また、ｆａn（Ｍ１１（ｎ）、Ｍ２１（ｎ））は、メタデータＭ１１（ｎ）とＭ２１（ｎ）との関連度をＲＭnとして返す関数であり、Ｗａnは重みを示す値（ｎ＝１、・・・、Ｎ）である。
【００５７】
ここでメタデータとして取得される情報は上述の通り多岐に渡るが、以下、説明を簡略化するため、メタデータは{録画日時、コンテンツのタイトル、チャンネル、ジャンル、出演者リスト}の５つの集合である（Ｎ＝５）とし、これら５つのメタデータを先頭からｎ＝１、２、・・・、５であるとして説明を進める。
【００５８】
すると、キーコンテンツに対する他のコンテンツの関連度ＲＭは、下記に示した５つの関連度ＲＭ1〜ＲＭ5の重み付き線形和に、重み付けがなされたものとして表すことができる。
ＲＭ1＝ｆａ1（メタデータＭ１１の録画日時、メタデータＭ２１の録画日時）
ＲＭ2＝ｆａ2（メタデータＭ１１のタイトル、メタデータＭ２１のタイトル）
ＲＭ3＝ｆａ3（メタデータＭ１１のチャンネル、メタデータＭ２１のチャンネル）
ＲＭ4＝ｆａ4（メタデータＭ１１のジャンル、メタデータＭ２１のジャンル）
ＲＭ5＝ｆａ5（メタデータＭ１１の出演者リスト、メタデータＭ２１の出演者リスト）
【００５９】
ｆａ1は例えば、録画日時が近い程大きな値をとり、遠くなる程小さな値を取る関数である。具体的には、例えば、ＭＯ１／｜ｒｅｃ＿ｄａｔａ（Ｍ１１）−ｒｅｃ＿ｄａｔａ（Ｍ２１）｜等の関係式を用いることができる。ここで、ｒｅｃ＿ｄａｔａ（ｘ）は、ｘの録画日時を一意の整数化する関数であり、ある基準日時を０として、そこからの経過秒数などに整数化する関数である。またＭＯ１は任意の定数であり、｜Ｘ｜はＸの大きさを示す関数であり、典型的には絶対値である。
【００６０】
なお、ｆａ1（Ｍ１１、Ｍ２１）＝ｇ（ｒｅｃ＿ｄａｔａ（Ｍ１１）−ｒｅｃ＿ｄａｔａ（Ｍ２１））とした場合、ｇ（ｘ）＝ＭＯ１／｜Ｘ｜という関数であるｇを用いた例を示したが、これに限定されるものではない。Ｌ２ノルムなどを使用するようなｇ、例えば、ｇ（ｘ）＝ＭＯ１／｜｜ｘ｜｜のようなものであってもよい。この場合、｜｜ｘ｜｜は、ｘを構成するそれぞれの要素の差の自乗合計の平方根をとったものとなる。
【００６１】
また、ｇ（ｘ）は、シグモイド関数等を用いてもよいし、ガンマ関数等を用いてもよい。なお、上記ではメタデータＭ１１とＭ２１が近い時に大きな値をとるような例を示したが、これに限定されるものではない。逆に小さな値をとるように構成することとしてもよい。また、特定の条件の時に大きな値をとるような関数ｇを用いることもできる。
【００６２】
ｆａ2は例えば、メタデータＭ１１とＭ２１とのタイトル文字列に同様の文字列が多く含まれている程大きな値をとるような関数で実現される。例えば、Ｍ１１のタイトルが“あいうえお”、Ｍ２１のタイトルが“かきうえこ”ならば、間の“うえ”の２文字が両者に含まれている。一方、“あいうえお”と“かきくけお”の場合は、１文字が両者に含まれているため、前者の方がｆａ2の値が大きくなる。なお、番組内容に含まれるキーワードにより関連度を判断する場合も、タイトルと同様に算出することが可能である。
【００６３】
以上では単純に両者に含まれている文字数の比較による例を示したが、これに限定されるものではない。例えば、先頭からの共通の文字数が多い方をより大きな値をとるようにする、であるとか、共通の文字が無くても、同様の概念を含むものならば共通と見なすとかといったような条件をさらに加えることとしてもよい。後者の例としては、例えば、“野球”と“ベースボール”を同様とみなし、これらがそれぞれに含まれている場合は、共通文字列が含まれていると見なすなどといったようなものである。
【００６４】
また、メインの文字列が同じで、サブの文字列が異なる場合には、これらは共通のシリーズのコンテンツであることが多いため、このような場合には、よりｆａ2の値を大きくするなどといったこともあり得る。例えば、“あいうえお＃２”と、“あいうえお＃３”は、同じドラマコンテンツの異なる回であるとみなせるため、このような場合には、ｆａ2の値を２倍するなどといったようなものである。なお、以上での説明はあくまでも一例であり、曖昧検索などの公知の技術を用いたり、正規表現による検索などの公知の技術を用いたりすることで、以上で説明したよりも高度な比較を行うことが可能となる。
【００６５】
ｆａ3は例えば、メタデータＭ１１とＭ２１とのチャンネルが同じ場合は大きな値をとるような関数である。単純には、チャンネルが同じ場合は、値ＭＯ２を、そうでない場合には値０をとる関数として実現できる。ここで、ＭＯ２は任意の定数である。さらに拡張して、同系列のチャンネルの場合には、別の値をとるようにしてもよい。例えば、同じ系列局の場合には、値ＭＯ３を返す関数とすることとしてもよい。また、同系列だが放送メディアが異なるような場合には、ＭＯ２／４を返す関数とすることとしてもよい。なお、以上で説明した態様はあくまでも一例であり、任意の関数を用いることが可能である。
【００６６】
ｆａ4は例えば、メタデータＭ１１とＭ２１とのジャンルが同じ場合は大きな値をとるような関数である。例えば、Ｍ１１とＭ２１とが双方とも「スポーツ」というジャンルの場合、値ＭＯ３を、そうでない場合には値０を取り、さらに、Ｍ２１がＭ１１のサブジャンルである場合、例えば、Ｍ１１のジャンルが「スポーツ」、Ｍ２１のジャンルが「野球」である場合には、ＭＯ３／２を取るような関数とすることとしてもよい。また、Ｍ１１のジャンルとＭ２１のジャンルが直接同じでなくとも双方の親となるジャンルが同じとなる場合、例えば、Ｍ１１のジャンルが「野球」、Ｍ２１のジャンルが「サッカー」の場合には、双方の親ジャンルは「スポーツ」で同じであるため、ＭＯ３／４を取るといった関数とすることとしてもよい。なお、以上で説明した態様はあくまでも一例であり、任意の関数を用いることが可能である。
【００６７】
ｆａ5はｆａ4と同様である。例えば、メタデータＭ１１とＭ２１との登場人物リストが夫々「ＷＷ、ＸＸ、ＹＹ」、「ＸＸ、ＹＹ、ＺＺ」の場合には、共通の登場人物は２人となるため、２×ＭＯ４を取り（ここでＭＯ４は任意の定数値）、共通の登場人物が居ない場合には０を取るような関数を用いることができる。また、登場人物にはグループも含まれるため、ある登場人物ＫＫがグループＸＸのメンバであった場合、「ＶＶ、ＷＷ、ＸＸ」、「ＫＫ、ＹＹ、ＺＺ」のようなメタデータＭ１１、Ｍ２１があったときに、Ｍ１１にはグループＸＸが出演、すなわち、このメンバのＫＫも出演、Ｍ２１にはグループＸＸは出演していないが、メンバであるＫＫは出演しているため、このような場合には、ＭＯ４／２を返すようにすることとしてもよい。
【００６８】
同様に、登場グループや登場人物の関係が定義される場合、例えば、グループＸＸとグループＹＹは同じ所属事務所であるなどといったような場合には、ＭＯ４／４を返すといったようにも拡張することとしてもよい。この場合、人物とグループ間の関係又は各人物、グループの所属する所属事務所間の関係は、メタデータ内に定義されている態様としてもよいし、外部のサーバ（情報サイト）から取得する態様としてもよい。
【００６９】
なお、以上では、登場人物リストに登場する人に対して関連度の区別をしない例を示したが、これに限定されるものではない。登場人物リストに出現する順番によって、さらに重み付けされる態様としてもよい。例えば、メタデータＭ１１の１番目に出てくる人との比較の場合は算出した関連度はそのままとし、２番目ならば関連度を１／２、３番目なら１／３とするといったように出現する順番に応じて重み付けを変化させることとしてもよい。また、メタデータＭ１１での順番とＭ２１での順番を両方とも加味する態様としてもよい。例えば、メタデータＭ１１の２番目の人物と、メタデータＭ２１の３番目の人物とを比較する場合、メタデータＭ１１の２番目ならば１／２、メタデータＭ２１の３番目ならば１／３となるため、トータルの関連度を１／２×１／３＝１／６とするようにしてもよい。また、メタデータとして、主演などの情報を用いて、主演者に対する関連度の重み付けを変えるようにしてもよい。例えば、主演の場合には算出した関連度を２倍するといったように重み付けを変化させることができる。
【００７０】
表示情報生成部１０５は、メタデータ検索部１０２から送出されたキーコンテンツのメタデータおよび他のコンテンツのメタデータに基づいて、キーコンテンツおよび他のコンテンツの内容を表わす表示情報を生成するものである。
【００７１】
より詳細な例としては、表示情報生成部１０５は、コンテンツが録画番組記憶部１６０に記憶された映像データのメタデータに基づいて、当該映像データの代表画像にタイトル等を付随させて、表示部１７０に表示可能とした表示情報を生成する。他の例としては、表示情報生成部１０５は、電子番組情報記憶部１５０に記憶された電子番組表に基づいて、ＴＶ番組のタイトル、放送日時、チャンネル、番組内容等を、表示部１７０に表示可能とした表示情報を生成する。
【００７２】
ここで、表示情報の詳細について説明する。図６−１、６−２は、コンテンツの内容を表わす表示情報の一例を示す図である。図６−１は、例えば、録画番組記憶部１６０に記憶された映像データのメタデータに基づいて生成されたキーコンテンツの表示情報Ｃ１である。同図に示すように、キーコンテンツの表示情報Ｃ１には、Ｃ１−１にそのコンテンツの代表画像が表示され、Ｃ１−２にそのコンテンツ（映像）のタイトル「Ｌ３５８△＊６」が表示されている。
【００７３】
また、図６−２は、例えば、電子番組表に基づいて生成されたキーコンテンツの表示情報Ｃ１である。同図に示すように、キーコンテンツの表示情報Ｃ１は、Ｃ１−３にチャンネルが表示され、Ｃ１−４にそのコンテンツ（映像）のタイトル「お昼のコメディーショー」、番組内容「今旬の〜世界にいざなう」が表示され、Ｃ１−５に放送日時が表示される。
【００７４】
表示制御部１０６は、映像再生部１０７により送出されたコンテンツを表示部１７０に再生表示する。また、表示制御部１０６は、上述したように操作受付部１０１がユーザからコンテンツの検索を行う旨の操作を受け付けた場合、ユーザが検索を行うための、キーコンテンツの表示情報とキーコンテンツに関連性を持つ他のコンテンツの表示情報とを一覧表示した関連コンテンツ一覧情報として表示する。
【００７５】
関連コンテンツ一覧情報は、キーコンテンツの表示情報を所望の位置に配置するとともに、関連度の算出に用いた項目を、当該キーコンテンツに近接する位置であってリモコン９０等の操作機器に備えられた操作ボタン、例えば十字キーの操作ボタンによる操作方向に沿う方向に配置する。本実施の形態では、十字キーの操作方向（上、下、左、右）毎に項目が割り当てられている。
【００７６】
さらに、関連コンテンツ一覧情報は、各項目の近傍に、当該キーコンテンツの表示情報の位置を中心に同心形状に形成された複数の楕円又は多角形上であって、リモコン９０等の操作機器に備えられた操作ボタン、例えば十字キーの操作ボタンによる操作方向に沿う形状で、各項目に関連する他のコンテンツの表示情報をそれぞれ配置したものである。
【００７７】
また、関連コンテンツ一覧情報においては、他のコンテンツ表示情報は、中心から放射方向に向けて項目ごとに分別された所定領域に、中心近傍から各項目に関する関連度の高い順にそれぞれ配置される。また、関連コンテンツ一覧情報は、キーコンテンツの表示情報の表示サイズを最大とし、中心近傍から離れるに従って他のコンテンツの表示情報の表示サイズを小さくして表示される。次に、関連コンテンツ一覧情報における表示情報の配置および表示動作の詳細について説明する。図７−１〜図８は、関連コンテンツ一覧情報を説明する模式図である。
【００７８】
まず、図７−１に示すように、表示制御部１０６は、キーコンテンツの表示情報Ｃ１を所望の位置に配置し、キーコンテンツの表示情報Ｃ１を中心に操作機器による方向指示に対応する方向に沿うように、ｘ軸正方向、ｘ軸負方向、ｙ軸正方向、ｙ軸負方向の４軸（軸１〜４）を設定する。さらに、表示制御部１０６は、各項目を、操作機器による方向指示に対応する方向に延出した各軸上であって、キーコンテンツの表示情報Ｃ１に近接する位置に配置する。即ち、軸の数および項目の数は、リモコン９０等の操作機器に備えられた方向を操作するための操作ボタン（十字キー）により指定可能な数（４方向）に等しい。このように項目毎に軸に従った移動方向を割り当てる。なお、リモコン９０等の操作機器に上／下／左／右／右上／右下／左上／左下の８キーが設けられた場合は８軸まで設けることができる。
【００７９】
そして、表示制御部１０６は、図７−２に示すように、各軸（軸１〜４）をそれぞれ含む任意の角度、例えば軸を含む９０度で、中心にあるキーコンテンツの表示情報Ｃ１から放射方向に向けて領域を分別することで、各軸を含む所定の表示領域（領域１〜４）を各項目１〜４に対応付けて生成する。
【００８０】
次に、表示制御部１０６は、図８に示すように、キーコンテンツの表示情報Ｃ１の位置を中心とした同心形状に形成された複数の８角形Ｆ１、Ｆ２…上であって、リモコン９０に備えられた操作ボタンによる上下左右の操作方向に沿う形状で、他のコンテンツの表示情報を配置していく。つまり、表示制御部１０６は、８角形Ｆ１の頂点には、他のコンテンツの表示情報Ｃ１１〜２２までの１２個の表示情報を配置する。また、表示制御部１０６は、８角形Ｆ２の頂点には、他のコンテンツの表示情報Ｃ３１〜５０の２０個の表示情報を配置する。
【００８１】
以下同様に、上下左右の操作方向にそれぞれ所定の数のコンテンツの表示情報が配置される。
【００８２】
図９は、表示制御部１０６が、上下左右のそれぞれの操作方向に対して配置する、コンテンツの表示情報の例を示した図である。図９に示すように、操作方向が上下の場合には、表示制御部１０６は、表示領域の水平幅９０１に収まるように、コンテンツの表示情報を配置して表示する。本実施の形態では、水平幅９０１に７個のコンテンツの表示情報が収まるように配置される。
【００８３】
一方、操作方向が左右の場合には、表示制御部１０６は、表示領域の垂直幅９０２に収まるように、コンテンツの表示情報を配置して表示する。本実施の形態では、水平幅９０２に５個のコンテンツの表示情報が収まるように配置する。
【００８４】
図１０は、表示制御部１０６が、コンテンツの表示情報の配置する際に基準となる線を示した図である。図１０に示すように、表示制御部１０６は、キーコンテンツの表示情報Ｃ１を中心とした楕円の円周上に、他のコンテンツの表示情報を配置して、表示を行う。その際、中心（キーコンテンツ）から一定の距離以上離れた他のコンテンツの表示情報の配置としては、同曲率とした上で、各弧上のコンテンツ数を等しくする。さらに、図１０に示すように、斜め領域には、他のコンテンツの表示情報を配置しないものとする。
【００８５】
より詳細には、表示制御部１０６は、各コンテンツの表示情報を、図１１に示すような配置を行った上で表示する。つまり、各項目と関連度が高いコンテンツは、表示領域の水平幅９０１又は垂直幅９０２に収まるように表示情報を配置され、斜め領域には表示情報の配置を行わない。
【００８６】
ところで、斜め領域に他のコンテンツの表示情報が存在する場合、ユーザは、各項目の他のコンテンツの表示情報を参照するためには、上下左右のいずれの方向に対しても操作を行う必要があった。このため、当該操作をリモコン９０で行う場合には、所望するコンテンツを検出するまでの操作が煩雑になっていた。これに対し、本実施の形態にかかるデジタルテレビジョン表示装置１００では、ユーザが、各項目と関連度が高いコンテンツを参照したい場合には、項目毎に上下方向又は左右方向のみ操作を行えばよい。このため、リモコン９０であっても操作が容易になる。
【００８７】
また、図１１に示すように、表示制御部１０６は、キーコンテンツの表示情報Ｃ１を中心として、最内周には、列１１０１、１１０２、１１０３、１１０４としてそれぞれ他のコンテンツの表示情報を３個ずつ配置する。その外側の周には、列１１０６、１１０７、１１０８、１１０９としてそれぞれ他のコンテンツの表示情報を５個ずつ配置する。さらに、その次の外側の周には、上下の列１１１２、１１１４としてそれぞれ他のコンテンツの表示情報を７個ずつ配置する。左右の列１１１１、１１１３としてそれぞれ他のコンテンツの表示情報を５個ずつ配置する。それ以降は、上記と同様に上下の列に７個、左右の列に５個という配置が繰り返される。
【００８８】
さらに、表示制御部１０６は、図１２に示すように、他のコンテンツの表示情報を、キーコンテンツの表示情報Ｃ１が配置されている中心近傍から外側に向かって、項目毎に、キーコンテンツとの関連度の高い順に配置する。すなわち、表示制御部１０６は、図１１で示すと、最内周の楕円に含まれる列１１０１、１１０２、１１０３、１１０４上に、最もキーコンテンツとの関連度が高い他のコンテンツの表示情報を配置し、さらに、最内周の次の外周に含まれる列１１０６、１１０７、１１０８、１１０９、さらに次の外周に含まれる列１１１１、１１１２、１１１３、１１１４と、最内周から外周の順に、関連度の高い他のコンテンツの表示情報を配置していく。
【００８９】
また、表示制御部１０６は、各項目に関するキーコンテンツとの関連度が高い順に、他のコンテンツの表示情報を、各項目（Ｋ１、Ｋ２、Ｋ３、Ｋ４）に対応する各表示領域（領域１、領域２、領域３、領域４）に配置していく。つまり、表示制御部１０６は、図１３に示すように、項目Ｋ１に対して境界線Ｂ１と境界線Ｂ４とで囲まれた領域１を割当て、項目Ｋ２に対して境界線Ｂ１と境界線Ｂ２とで囲まれた領域２を割当て、項目Ｋ３に対して境界線Ｂ２と境界線Ｂ３とで囲まれた領域３を割当て、さらに、項目Ｋ４に対して境界線Ｂ３と境界線Ｂ４とで囲まれた領域４に割り当てられる。そして、表示制御部１０６は、各領域の間に、隙間を設けてそれぞれの項目の違いが明確に把握できるように、表示情報を配置する。そして、各領域においては、各項目に関するキーコンテンツとの関連度が高い順に、図１３の表示情報上に示す数字の順番で他のコンテンツの表示情報を配置する。
【００９０】
ところで、人間は基本的に上下のスクロールよりも、左右のスクロールの方が、目で認識しやすい傾向がある。つまり、項目Ｋ１、Ｋ３と関連度が高いコンテンツの表示情報の方が、項目Ｋ２、Ｋ４と関連度が高いコンテンツの表示情報よりも閲覧しやすいことになる。そこで、本実施の形態にかかる表示制御部１０６は、横方向に画面移動する項目Ｋ１、Ｋ３に対して、縦方向に画面移動する項目Ｋ２、Ｋ４よりも優先度が高い項目を割り当てることにした。つまり、本実施の形態にかかる表示制御部１０６は、人、ジャンルを、タイトル、キーワードよりも、ユーザが良く参照する重要な項目として、項目Ｋ１、Ｋ３に割り当て、表示を行っている。これにより、ユーザが良く参照する項目Ｋ１、Ｋ３と関連度が高いコンテンツの表示情報の参照が容易になる。
【００９１】
また、図１４に示すように、表示制御部１０６は、キーコンテンツの表示情報Ｃ１の表示サイズを最大とし、中心近傍から離れるに従って他のコンテンツの表示情報の表示サイズを小さくして表示する。なお、表示情報の配置位置および表示サイズは、予め表示制御部１０６が記憶しており、キーコンテンツに対する関連度を算出した後に、他のコンテンツの表示情報を所定の表示サイズにして順番に配置していく。
【００９２】
表示制御部１０６は、このようにしてキーコンテンツの表示情報Ｃ１と他のコンテンツの表示情報Ｃ１１〜を配置した関連コンテンツ一覧情報を生成し、生成した関連コンテンツ一覧情報を表示部１７０に表示する。
【００９３】
図１５は、キーコンテンツの表示情報Ｃ１と他のコンテンツの表示情報Ｃ１１〜を配置した関連コンテンツ一覧情報の一例を示す図である。図１５の関連コンテンツ一覧情報では、キーコンテンツの表示情報Ｃ１に近接する位置に項目Ｋ１、Ｋ２、Ｋ３、Ｋ４が表示されている。図１５に示す例では、項目Ｋ１に対して「人」が割り当てられており、項目Ｋ２に対して「タイトル」が割り当てられており、項目Ｋ３に対して「ジャンル」が割り当てられており、項目Ｋ４に対して「キーワード」が割り当てられている。そして、キーコンテンツの表示情報Ｃ１を中心位置として、他のコンテンツの表示情報が中心近傍から外側に向けて配置されている。
【００９４】
また、本実施の形態では、上下左右の操作方向に沿う形状で他のコンテンツの表示情報を配置した。このため、各他のコンテンツの表示情報で、上下左右の操作を受け付けた場合に、図１５の、各コンテンツの表示情報毎に示した矢印方向に、フォーカスされるコンテンツが変わっていく。例えば、検索中において、フォーカスされているコンテンツが表示情報Ｃ１７であった場合に、リモコン９０の操作ボタンやキーボードキーにより右の指示操作を受け付けると、Ｃ１６、Ｃ１５、Ｃ１４、Ｃ１３、Ｃ４１とフォーカスされるコンテンツが変わっていく。また、検索中における注目コンテンツが表示情報Ｃ１７であった場合に、リモコン９０の操作ボタンやキーボードキーにより下の指示操作を受け付けると、Ｃ１８、Ｃ１９、Ｃ４６とフォーカスされるコンテンツが変わっていく。
【００９５】
また、例えば、フォーカスされているコンテンツが表示情報Ｃ１６であった場合に、指示操作を受け付けて右にカーソル１つ分移動すると、表示情報Ｃ１５へフォーカスされるコンテンツが変わる。同じく、上にカーソル１つ分移動すると表示情報Ｃ３９へ、左にカーソル１つ分移動すると表示情報Ｃ１７へ、下にカーソル１つ分移動すると表示情報Ｃ１へとフォーカスされるコンテンツが変わることになる。これにより、リモコン９０の十字キーなどの操作ボタンやキーボードの十字キーなどからの指示操作が行いやすくなる。
【００９６】
ここで、項目の選択操作について図１５を用いて説明する。まず、上述したように、軸の数および項目の数は操作機器の十字キーにより指定可能な数と等しく設けられており、また、各項目Ｋ１〜Ｋ４は各軸上にキーコンテンツの表示情報Ｃ１に近接して配置されている。キーコンテンツの表示情報Ｃ１の位置にカーソルがある場合、操作機器の十字キーを上方向に１回操作すると、キーコンテンツの上側に配置されている項目Ｋ２「タイトル」を超えて、コンテンツＣ１５にカーソルを移動する。つまり、操作機器の十字キーの操作で、キーコンテンツの表示情報Ｃ１から他のコンテンツの表示情報に移動できる。
【００９７】
さらに、最外周の他のコンテンツの表示情報をフォーカスする操作がなされた場合（矢印１５０１〜１５１６）に、本実施の形態にかかる表示制御部１０６は、フォーカスされた他のコンテンツが属する項目を表示するための表示モードに切り替えて、表示を行う。
【００９８】
このように、操作キーにより、各軸に割り当てられた各項目に属するコンテンツが選択可能となる。なお、ユーザが各軸に割り当てる項目を設定可能にしても良い。本実施の形態では、割り当てられる項目の例として、タイトル、ジャンル、人物、キーワードを挙げたが、例えば、放送局、放送日時等の項目を設定しても良い。また、ユーザは、見やすく操作しやすい位置に好みの項目を自在に配置させても良い。これにより、各ユーザに対して利便性を向上させることができる。
【００９９】
また、本実施の形態にかかるデジタルテレビジョン表示装置１００では、表示制御部１０６が、関連コンテンツ一覧画面を表示する際の表示モードとしては、全体表示モードと項目表示モードの２種類の表示モードが存在する。
【０１００】
全体表示モードは、キーコンテンツの表示情報Ｃ１を中心に配置して、全項目の他のコンテンツの表示情報を表示するモードとする。そして、全体表示モードでは、項目毎に割り当てられたいずれの方向にも画面移動が可能な表示モードである。
【０１０１】
そして、表示制御部１０６は、全体表示モードとして、キーコンテンツの表示情報の位置を基準として、項目毎に割り当てられた方向に存在する表示領域上に、当該項目について関連度が高い他のコンテンツの表示情報を配置した関連コンテンツ一覧画面を、表示部１７０に表示する。当該画面例としては、図８に示す画面例が考えられる。
【０１０２】
項目表示モードは、キーコンテンツと、一つの項目について関連度が高い他のコンテンツの表示情報と、を表示するモードとする。項目表示モードは、当該一つの項目に割り当てられた方向及びその方向の反対方向に限り、画面移動が可能な表示モードである。
【０１０３】
この表示モードが全体表示モードから項目表示モードに切り替わるには、操作受付部１０１が、特定の操作を受け付けることで行われる。この特定の操作としては、表示部１７０に表示された表示領域上で、いずれか一つの項目が割り当てられた方向（例えば、ｘ軸正方向など）で最外周に配置されている他のコンテンツの表示情報がフォーカスされる操作を受け付けること等がある。他の例としては、操作受付部１０１は、項目（Ｋ１〜Ｋ４）を選択する操作を受け付けた場合などでも良い。さらに、本実施の形態とは異なるが、操作受付部が、いずれか一つの項目が割り当てられた方向で最外周に配置されている他のコンテンツの表示情報からさらに外側にフォーカスを移動させる操作を受け付けた場合などでも良い。
【０１０４】
図１６は、上述したように操作受付部１０１が特定の操作を受け付けた場合の項目表示モードに切り替わる際の画面遷移を示した図である。図１６に示す例では、操作受付部１０１が他のコンテンツの表示情報（Ｃ３１〜Ｃ３５）をフォーカスする操作を受け付けた場合に、表示制御部１０６は、項目Ｋ１に関する表示を行うための項目表示モードに切り替える。このため、キーコンテンツの表示情報と、項目Ｋ１と関連度が高い他のコンテンツの表示情報群１６０１と、が表示領域１６１０に入るように移動表示を行う。その際に、表示制御部１０６は、項目Ｋ３と関連度が高い他のコンテンツの表示情報群１６０４を、表示領域１６１０の左側から領域外に移動させ、非表示にさせる。また、項目Ｋ２と関連度が高い他のコンテンツの表示情報群１６０２、項目Ｋ４と関連度が高い他のコンテンツの表示情報群１６０３についても、同様に領域外に移動させ、非表示にさせる。
【０１０５】
上述した表示情報群の移動の後、表示制御部１０６は、表示領域１６０５に示すように、項目表示モードで関連コンテンツ一覧画面を表示する。なお、項目表示モードで関連コンテンツ一覧画面の具体的な説明については後述する。
【０１０６】
また、全体表示モードから項目表示モードに切り替わる際の画面遷移は、図１６に示す例に制限するものではない。そこで、当該画面遷移の変形例について説明する。図１７は、操作受付部１０１が特定の操作を受け付けた場合の項目表示モードに切り替わる際の画面遷移の変形例を示した図である。図１７に示すように、変形例にかかる表示制御部は、項目Ｋ２と関連度が高い他のコンテンツの表示情報群１７０１と、項目Ｋ４と関連度が高い他のコンテンツの表示情報群１７０２と、を半透明化した上で表示する。そして、その他の表示情報については、第１の実施の形態と同様の表示を行う。なお、画面遷移については、図１６及び図１７で示した例に制限するものではなく、様々な形態をとることができる。
【０１０７】
第１の実施の形態に戻り、表示制御部１０６は、各項目各々について、項目表示モードに切り替えることができる。図１８は、項目表示モードで表示される、項目毎の画面例を示した図である。図１８に示すように、図１５でフォーカス移動１５０１〜１５０５が行われた場合に、表示制御部１０６は、項目Ｋ２と関連度が高い他のコンテンツの表示情報を表示する画面１８０１を、項目表示モードで表示する。
【０１０８】
また、フォーカス移動１５０６〜１５０８が行われた場合に、表示制御部１０６は、項目Ｋ１と関連度が高い他のコンテンツの表示情報が配置された画面１８０２を、項目表示モードで表示する。同様に、フォーカス移動１５０９〜１５１３が行われた際には項目Ｋ４と関連度が高い他のコンテンツの表示情報が配置された画面１８０３を、項目表示モードで表示する。さらに、フォーカス移動１５１４〜１５１６が行われた際には項目Ｋ３と関連度が高い他のコンテンツの表示情報が配置された画面１８０４を、項目表示モードで表示する。
【０１０９】
このように、全体表示モードで、表示領域の最外周の表示情報が選択された場合に、当該表示情報のコンテンツが属する項目に関する項目表示モードで、関連コンテンツ一覧画面が表示される。
【０１１０】
図１９は、表示制御部１０６が表示する、項目表示モードにおける関連コンテンツ一覧画面の例を示した図である。図１９に示す例では、現在表示対象となっている項目Ｋ１以外（項目Ｋ２〜Ｋ４）は、半透明化して表示する。さらに、表示制御部１０６は、各コンテンツの表示情報は、円弧状に配置することで、キーコンテンツの表示情報Ｃ１を中心とした配置であることを認識できるようにしている。なお、最内周から２週目の外周以降については、円弧の曲率を同じものとする。これにより、他のコンテンツの表示情報の数に拘わらず表示することができる。
【０１１１】
図１９に示す例では、操作受付部１０１が、リモコン９０の十字キーの操作を受け付ける毎に、表示制御部１０６は、フォーカスされるコンテンツの表示情報を、各コンテンツの表示情報（例えば表示情報Ｃ１０１〜Ｃ１０５、表示情報Ｃ２０１〜Ｃ２０５）で示した矢印方向に従って移動させる。例えば、操作受付部１０１が、表示情報Ｃ２０１〜Ｃ２０５において、右方向（一点鎖線矢印）にフォーカスを移動させる操作を受け付けた場合、表示制御部１０６は、他のコンテンツの表示情報全てを移動させ、領域１９０１内にフォーカスされたコンテンツの表示情報が配置されるようにする。この領域１９０１は、表示領域内の最外周の一つ手前のコンテンツの表示情報が配置されているため、さらに外側（最外周の位置）にコンテンツがあるのか否か判断することが容易である。又これによりさらに外側への操作が必要か否かの判断が容易となり、操作性が向上する。
【０１１２】
また、操作受付部１０１が、表示情報Ｃ２０１〜Ｃ２０５において、左方向（実線矢印）にフォーカスを移動させる操作を受け付けた場合、表示制御部１０６は、領域１９０１内のコンテンツの表示情報にフォーカスが固定しているのを解除し、通常通りのフォーカス移動を行う。さらに、操作受付部１０１が、表示情報Ｃ３５〜Ｃ３１において、左方向（点線矢印）にフォーカスを移動させる操作を受け付けた場合、表示制御部１０６は、項目表示モードから全体表示モードに切り替えて、関連コンテンツ一覧画面を表示する。なお、それ以外の十字キーによる操作を受け付けた場合（２点鎖線矢印）は、通常通りのフォーカス移動とする。
【０１１３】
このように、表示制御部１０６が項目表示モードで表示している際に、操作受付部１０１は、特定の操作を受け付けた場合には、再び、表示制御部１０６は、全体表示モードで、関連コンテンツ一覧画面を表示する。この全体表示モードに戻るための特定の操作としては、キーコンテンツを中心として楕円状に配置された各コンテンツの表示情報で、最内周の一つ外側に配置された表示情報（例えば表示情報Ｃ３５〜Ｃ３１）から、最内周に配置された表示情報にフォーカスを移動させる操作を受け付けること、又は、リモコン９０の予め定められたボタン（例えば「戻る」ボタン）の押下を受け付けることとする。
【０１１４】
図２０は、表示制御部１０６による、全体表示モードと、項目表示モードとの切替を示した説明図である。図２０に示すように、表示制御部１０６は、全体表示モードの表示画面２００１では、上下左右に画面スクロールを行うことができる。そして、操作受付部１０１が、フォーカスを矢印２０１１〜２０１３に移動させる操作を受け付けた場合に、表示制御部１０６は、項目表示モードである画面２００２に切り替えて表示する。当該項目表示モードの画面２００２においては、画面スクロールは項目に割り当てられた方向（左方向）とその反対方向（右方向）に制限される。
【０１１５】
そして、項目表示モードの画面２００２において、操作受付部１０１が、フォーカスを矢印２０２１〜２０２５に移動させる操作を受け付けた場合に、表示制御部１０６は、全体表示モードである画面２００１に切り替えて表示する。この際の画面遷移は、図１６で示した画面遷移の逆の処理がおこなわれるものとする。
【０１１６】
次に、項目表示モードにおいて、項目に割り当てられた方向にさらに移動する場合の画面遷移について説明する。図２１は、項目表示モードにおいて、表示制御部１０６が表示する関連コンテンツ一覧画面でフォーカス移動する際の画面遷移を示した説明図である。図２１に示す例では、項目に割り当てられた方向、換言すれば関連度が低くなる方向２１０２に対して、操作受付部１０１がフォーカスを移動させる操作を受け付けると、一定距離以上の外周については、フォーカスは領域２１０１の範囲で固定され、他のコンテンツの表示情報と項目のみが画面移動する。
【０１１７】
例えば、表示情報Ｃ２１１がフォーカスされた状態で、操作受付部１０１が、矢印２１１２（右方向）にフォーカスを移動させる操作を受け付けた場合に、表示制御部１０６は、表示領域２１０３内に表示されている表示情報のうち、キーコンテンツを除いた全ての他のコンテンツの表示情報を、当該矢印２１１２と反対方向（左方向）に表示情報一個分移動する表示を行う。その際、コンテンツの表示情報Ｃ２０１〜Ｃ２０５は、キーコンテンツの表示情報Ｃ１と重畳することになる。そこで、表示制御部１０６は、表示情報Ｃ１と重畳する列にある全ての表示情報Ｃ２０１〜Ｃ２０５については、上述した移動制御と共に透明化して非表示にする制御を行う。
【０１１８】
さらに、表示情報Ｃ２１１がフォーカスされた状態で、操作受付部１０１が、矢印２１１３（左方向）にフォーカスを移動させる操作を受け付けた場合に、表示制御部１０６は、表示領域２１０３内に表示されている表示情報のうち、キーコンテンツを除いた全ての他のコンテンツの表示情報を、当該矢印２１１３と反対方向（右方向）に表示情報一個分移動する表示を行う。その際、上述した処理で非表示されたコンテンツの表示情報が存在する場合には、右方向への移動と共に、透明化な状態から通常の状態に遷移して、Ｃ２０１〜Ｃ２０５の位置に配置されるようになる。そして、キーコンテンツの表示情報Ｃ１は、常に表示を行うものとする。これにより、当該キーコンテンツを基準として、現在の関連コンテンツ一覧画面が表示されていることを認識できる。
【０１１９】
また、キーコンテンツと重畳した他のコンテンツの表示情報は、透明化して非表示することに制限するものではない。そこで、キーコンテンツの表示情報Ｃ１は常に表示させ、当該表示情報Ｃ１と他のコンテンツの表示情報が重畳した場合、当該表示情報Ｃ１を半透過させて、他のコンテンツの表示情報を表示してもよい。図２２は、項目表示モードにおいて、表示制御部１０６が表示する関連コンテンツ一覧画面でフォーカス移動する際の画面遷移の変形例を示した説明図である。図２２に示す例では、項目に割り当てられた方向、換言すれば関連度が低くなる方向２１０２に対して、操作受付部１０１がフォーカスを移動させる操作を受け付けると、一定距離以上の外周については、フォーカスは領域２２０１の範囲で固定され、他のコンテンツの表示情報と項目のみが画面移動する。また、フォーカスを変更された場合は、図２１で示した第１の実施の形態と同様とする。
【０１２０】
そして、キーコンテンツの表示情報Ｃ１と他のコンテンツの表示情報２２０１〜２２０６が重畳した場合に、キーコンテンツの表示情報Ｃ１を半透過させて、他のコンテンツの表示情報２２０１〜２２０６の上にキーコンテンツの表示情報Ｃ１が配置されているとユーザが認識するように、表示制御部１０６が表示する。当該表示により、キーコンテンツの表示情報Ｃ１を、他のコンテンツの表示情報より、優先的に表示していることになる。なお、当該表示に制限するものではなく、例えば、キーコンテンツの表示情報Ｃ１に重畳している部分については、他のコンテンツの表示情報を非表示としても良い。
【０１２１】
さらに、操作受付部１０１が最外周の他のコンテンツをフォーカスする操作を受け付けた場合に、他のコンテンツの表示情報は表示情報一列分、左側に移動する。そして、当該移動により表示領域２２０２の外に移動した表示情報は、表示制御部１０６が非表示とする。
【０１２２】
第１の実施の形態に戻り、以上のように構成された本実施の形態にかかるデジタルテレビジョン表示装置１００における関連コンテンツ一覧画面の表示モード切替処理について説明する。図２３は、本実施の形態にかかるデジタルテレビジョン表示装置１００における上述した処理の手順を示すフローチャートである。
【０１２３】
まずは、表示制御部１０６は、全体表示モードで、関連コンテンツ一覧画面を表示する（ステップＳ２３０１）。次に、操作受付部１０１が、全体表示モードの関連コンテンツ一覧画面で表示された他のコンテンツの表示情報のいずれかに、フォーカスを移動させる操作を受けたか否か判定する（ステップＳ２３０２）。受け付けていないと判定した場合（ステップＳ２３０２：Ｎｏ）、再びステップＳ２３０２から処理をおこなう。
【０１２４】
一方、操作受付部１０１が、フォーカスを移動させる操作を受け付けたと判定した場合（ステップＳ２３０２：Ｙｅｓ）、表示制御部１０６は、移動先の他のコンテンツの表示情報に、フォーカスを移動させる表示を行う（ステップＳ２３０３）。そして、表示制御部１０６は、関連コンテンツ一覧画面において、キーコンテンツの表示情報を中心として楕円状に配置されている他のコンテンツの表示情報のうち、最外周の他のコンテンツの表示情報までフォーカスが移動したか否か判定する（ステップＳ２３０４）。移動していないと判定した場合（ステップＳ２３０４：Ｎｏ）、再びステップＳ２３０２から処理を開始する。
【０１２５】
一方、表示制御部１０６が、最外周の他のコンテンツの表示情報までフォーカスが移動したと判定した場合（ステップＳ２３０４：Ｙｅｓ）、フォーカスが当てられた他のコンテンツの表示情報が配置されている方向に割り当てられた項目についての項目表示モードで、関連コンテンツ一覧画面を表示する（ステップＳ２３０５）。
【０１２６】
次に、操作受付部１０１が、項目表示モードの関連コンテンツ一覧画面で表示された他のコンテンツの表示情報のいずれかに、フォーカスを移動させる操作を受けたか否か判定する（ステップＳ２３０６）。受け付けていないと判定した場合（ステップＳ２３０６：Ｎｏ）、再びステップＳ２３０６から処理をおこなう。
【０１２７】
一方、操作受付部１０１が、フォーカスを移動させる操作を受け付けたと判定した場合（ステップＳ２３０６：Ｙｅｓ）、表示制御部１０６は、移動先の他のコンテンツの表示情報に、フォーカスを移動させる表示を行う（ステップＳ２３０７）。そして、表示制御部１０６は、関連コンテンツ一覧画面の表示領域のうち、項目に割り当てられた方向で最外周に配置された、他のコンテンツの表示情報までフォーカスが移動したか否か判定する（ステップＳ２３０８）。
【０１２８】
表示制御部１０６は、最外周に配置された、他のコンテンツの表示情報までフォーカスが移動したと判定した場合（ステップＳ２３０８：Ｙｅｓ）、フォーカスされた他のコンテンツの表示情報が最外周の一つ前にくるように、キーコンテンツ以外の全ての他のコンテンツの表示情報を移動させる（ステップＳ２３０９）。この際の画面遷移は、図１６に示したとおりとなる。
【０１２９】
一方、表示制御部１０６は、最外周に配置された、他のコンテンツの表示情報までフォーカスが移動していないと判定した場合（ステップＳ２３０８：Ｎｏ）、最内周に配置された、他のコンテンツの表示情報までフォーカスが移動したか否かを判定する（ステップＳ２３１０）。移動していないと判定した場合（ステップＳ２３１０：Ｎｏ）、ステップＳ２３０６から開始する。
【０１３０】
一方、表示制御部１０６は、最内周に配置された、他のコンテンツの表示情報までフォーカスが移動したと判定した場合（ステップＳ２３１０：Ｙｅｓ）、再び、項目表示モードから全体表示モードに切り替えて、関連コンテンツ一覧画面を表示する（ステップＳ２３０１）。
【０１３１】
上述した処理手順により、デジタルテレビジョン表示装置１００では、関連コンテンツ一覧画面についてユーザの操作に基づいて全体表示モードと項目表示モードとが切り替わるため、ユーザの操作に適した表示が行われることになる。
【０１３２】
本実施の形態にかかるデジタルテレビジョン表示装置１００の表示制御部１０６は、キーコンテンツの表示情報Ｃ１を中心として、斜め方向の領域に、他のコンテンツの表示情報を配置した表示を行わない。これにより、項目表示モードにおいては、項目に割り当てられた方向から垂直方向に画面スクロールする必要がなくなる。
【０１３３】
これにより、項目に割り当てられた方向成分とその垂直成分による、斜め方向への画面スクロールを行わないことになる。これにより、斜め方向のスクロールに慣れない人や、斜め方向のスクロールで酔う人であっても、関連コンテンツ一覧画面を利用できる。
【０１３４】
ところで、通常テレビジョン表示装置においては、当該装置に対する操作として、シンプルな挙動がユーザから求められている。これに対し本実施の形態にかかるデジタルテレビジョン表示装置１００では、関連するコンテンツを閲覧中に、斜め方向への画面移動が不要になり、上述した画面スクロールに制限することで、操作を容易にすることが可能となった。これにより、リモコン９０のような、携帯性や簡易操作を実現するために、ボタンの数や操作手法などが制限された入力デバイスであっても操作を容易にできる。
【０１３５】
本実施の形態にかかるデジタルテレビジョン表示装置１００では、上述した関連コンテンツ一覧画面を表示し、全体表示モードと項目表示モードと切り替えて表示を行うこととした。そして、全体表示モードでは上下左右に画面スクロールできるのに対し、項目表示モードでは項目に割り当てられた方向とその反対方向にのみ画面スクロールできるようにした。これにより、画面を表示している際の操作を容易できる。
【０１３６】
デジタルテレビジョン表示装置１００の表示制御部１０６は、キーコンテンツを中心に上下右左にそれぞれ項目を表示することとした。その際に、左右に項目として「人物」「ジャンル」を配置した。これは、他の２つよりもユーザが良く参照する項目であるためである。つまり、人は横方向の方が画面スクロールに違和感が無く、視認しやすいためである。これにより、ユーザが、関連するコンテンツを探しやすくなる。
【０１３７】
また、デジタルテレビジョン表示装置１００では、ユーザが重要と考える項目を４個順番に指定を受け付けた際に、重要と指定された項目を右、左、下、上の順に割り当てる制御手段を設けても良い。これにより、ユーザが重要と判断した項目について、画面スクロールで違和感無く、各コンテンツの表示情報の閲覧が可能となる。
【０１３８】
また、上述した各実施の形態に限定されるものではなく、以下に例示するような種々の変形が可能である。
【０１３９】
（変形例１）
上述した第１の実施の形態において、デジタルテレビジョン表示装置１００では表示部１７０の表示領域について縦横の比率が１６：９の場合について説明した。しかしながら、表示処理装置は、デジタルテレビジョン表示装置１００以外の装置に適用しても良く、例えばＰＣなどで表示を行ってもよい。その際に、表示領域の縦横の比率を１６：９に制限するものではなく、表示領域の画面サイズや解像度、さらには表示領域内に表示されるウィンドウサイズに応じて適切な表示を行えばよい。変形例として、ＰＣ等が、表示領域内のウィンドウに関連コンテンツ一覧画面を表示する例について説明する。
【０１４０】
図２４は、ＰＣ等の表示装置が、全体表示モードで表示する関連コンテンツ一覧情報の例を示した図である。図２４に示す例では、縦長のウィンドウに関連コンテンツ一覧情報を表示しているものとする。このようにウィンドウの縦横比に制限することなく表示される。
【０１４１】
そして、本変形例で示す例では、全体表示モードから項目表示モードに切り替わるためには、図２４に示すウィンドウの表示領域内で、キーコンテンツの表示情報を中心として楕円形状で配置されている、他のコンテンツの表示情報について、表示領域内の最外周の他のコンテンツの表示情報が選択された場合に切り替わるものとする。変わった後の表示や変わる際の画面遷移は、第１の実施の形態と同様とする。また、項目表示モードから全体表示モードに切り替わる際も、第１の実施の形態と同様に、最内周の他のコンテンツの表示情報がフォーカスされた場合とする。
【０１４２】
このように、関連コンテンツ一覧画面の画面サイズや縦横比に拘わらず、関連コンテンツ一覧画面を表示した上で、全体表示モードと項目表示モードとを切り替えて表示を行うことができる。
【０１４３】
このように、第１の実施の形態や当該変形例のように、関連コンテンツ一覧画面の画面サイズや縦横比に拘わらず同一画面を提供できると共に、その際の操作方法については共通化できる。これにより、デバイスに制限無く、容易な操作方法を提供できる。
【０１４４】
本実施の形態及び変形例のデジタルテレビジョン表示装置で実行されるプログラムは、インストール可能な形式又は実行可能な形式のファイルでＣＤ−ＲＯＭ、フレキシブルディスク（ＦＤ）、ＣＤ−Ｒ、ＤＶＤ等のコンピュータで読み取り可能な記録媒体に記録されて提供される。
【０１４５】
また、本実施の形態のデジタルテレビジョン表示装置で実行されるプログラムを、インターネット等のネットワークに接続されたコンピュータ上に格納し、ネットワーク経由でダウンロードさせることにより提供するように構成しても良い。また、本実施の形態のデジタルテレビジョン表示装置で実行されるプログラムをインターネット等のネットワーク経由で提供または配布するように構成しても良い。
【０１４６】
また、本実施の形態のデジタルテレビジョン表示装置を、ＲＯＭ等に予め組み込んで提供するように構成してもよい。本実施の形態のデジタルテレビジョン表示装置で実行される表示処理プログラムは、上述した各部（操作受付部、メタデータ検索部、メタデータ取得部、関連度算出部、表示情報生成部、表示制御部、映像再生部、放送受信部）を含むモジュール構成となっており、実際のハードウェアとしてはＣＰＵ（プロセッサ）が上記記憶媒体から表示処理プログラムを読み出して実行することにより上記各部が主記憶装置上にロードされ、操作受付部、メタデータ検索部、メタデータ取得部、関連度算出部、表示情報生成部、表示制御部、映像再生部、放送受信部が主記憶装置上に生成されるようになっている。
【０１４７】
なお、本発明は、上記実施の形態そのままに限定されるものではなく、実施段階ではその要旨を逸脱しない範囲で構成要素を変形して具体化することができる。また、上記実施の形態に開示されている複数の構成要素の適宜な組み合わせにより、種々の発明を形成することができる。例えば、実施の形態に示される全構成要素からいくつかの構成要素を削除してもよい。さらに、異なる実施の形態にわたる構成要素を適宜組み合わせても良い。
【符号の説明】
【０１４８】
９０  リモートコントローラ
１００  デジタルテレビジョン表示装置
１０１  操作受付部
１０２  メタデータ検索部
１０３  メタデータ取得部
１０４  関連度算出部
１０５  表示情報生成部
１０６  表示制御部
１０７  映像再生部
１０８  放送受信部
１５０  電子番組情報記憶部
１６０  録画番組記憶部
１６１  外部録画番組記憶部
１７０  表示部
１８０  接続Ｉ／Ｆ
１９０  通信部
１９５  デジタルテレビジョン表示装置
【図１】
2011060145.tif 000004
【図２】
2011060145.tif 000005
【図３】
2011060145.tif 000006
【図４】
2011060145.tif 000007
【図５】
2011060145.tif 000008
【図６−１】
2011060145.tif 000009
【図６−２】
2011060145.tif 000010
【図７−１】
2011060145.tif 000011
【図７−２】
2011060145.tif 000012
【図８】
2011060145.tif 000013
【図９】
2011060145.tif 000014
【図１０】
2011060145.tif 000015
【図１１】
2011060145.tif 000016
【図１２】
2011060145.tif 000017
【図１３】
2011060145.tif 000018
【図１４】
2011060145.tif 000019
【図１５】
2011060145.tif 000020
【図１６】
2011060145.tif 000021
【図１７】
2011060145.tif 000022
【図１８】
2011060145.tif 000023
【図１９】
2011060145.tif 000024
【図２０】
2011060145.tif 000025
【図２１】
2011060145.tif 000026
【図２２】
2011060145.tif 000027
【図２３】
2011060145.tif 000028
【図２４】
2011060145.tif 000029
【手続補正書】
【提出日】平成22年9月17日(2010.9.17)
【手続補正１】
【補正対象書類名】明細書
【補正対象項目名】０００８
【補正方法】変更
【補正の内容】
【０００８】
上述した課題を解決し、目的を達成するために、本発明にかかる表示処理装置は、検索の基点となるコンテンツであるキーコンテンツに対する、他のコンテンツ各々と、の間の関連度を、コンテンツの内容の類似性に基づいて、項目毎に算出する関連度算出手段と、前記キーコンテンツを示す表示情報の位置を基準として、前記項目毎に割り当てられた方向を示す項目方向に存在する表示領域上に、当該項目について関連度が高い前記他のコンテンツの表示情報を、同心形状に配置した一覧情報を、各項目方向に画面移動が可能な第１の表示モードとして表示器に表示する表示制御手段と、前記表示情報を選択するフォーカスを、いずれか１つの項目方向に移動させる操作を受け付ける受付手段と、を備え、前記表示制御手段は、さらに、前記受付手段が、前記フォーカスをいずれか１つの項目方向に移動させて、所定の周に配置された前記表示情報を選択する操作を受け付けた場合に、移動操作がなされた項目方向及びこの反対方向に限り、画面移動が可能な第２の表示モードで、前記キーコンテンツの表示情報と、当該項目方向を割り当てた項目について関連度の高い前記他のコンテンツの表示情報を表示すること、を特徴とする。
【手続補正２】
【補正対象書類名】明細書
【補正対象項目名】０００９
【補正方法】変更
【補正の内容】
【０００９】
また、本発明にかかる表示処理方法は、表示処理装置で実行される表示処理方法であって、関連度算出手段が、検索の基点となるコンテンツであるキーコンテンツに対する、他のコンテンツ各々と、の間の関連度を、コンテンツの内容の類似性に基づいて、項目毎に算出する関連度算出ステップと、表示制御手段が、前記キーコンテンツを示す表示情報の位置を基準として、前記項目毎に割り当てられた方向を示す項目方向に存在する表示領域上に、当該項目について関連度が高い前記他のコンテンツの表示情報を、同心形状に配置した一覧情報を、各項目方向に画面移動が可能な第１の表示モードとして、表示器に表示する第１の表示ステップと、受付手段が、前記表示情報を選択するフォーカスを、いずれか１つの項目方向に移動させる操作を受け付ける受付ステップと、表示制御手段が、前記受付ステップが、前記フォーカスをいずれか１つの項目方向に移動させて、所定の周に配置された前記表示情報を選択する操作を受け付けた場合に、移動操作がなされた項目方向及びこの反対方向に限り、画面移動が可能な第２の表示モードで、前記キーコンテンツの表示情報と、当該項目方向を割り当てた項目について関連度の高い前記他のコンテンツの表示情報を表示する第２の表示ステップと、を有することを特徴とする。
【手続補正３】
【補正対象書類名】特許請求の範囲
【補正対象項目名】全文
【補正方法】変更
【補正の内容】
【特許請求の範囲】
【請求項１】
検索の基点となるコンテンツであるキーコンテンツに対する、他のコンテンツ各々と、の間の関連度を、コンテンツの内容の類似性に基づいて、項目毎に算出する関連度算出手段と、
前記キーコンテンツを示す表示情報の位置を基準として、前記項目毎に割り当てられた方向を示す項目方向に存在する表示領域上に、当該項目について関連度が高い前記他のコンテンツの表示情報を、同心形状に配置した一覧情報を、各項目方向に画面移動が可能な第１の表示モードとして表示器に表示する表示制御手段と、
前記表示情報を選択するフォーカスを、いずれか１つの項目方向に移動させる操作を受け付ける受付手段と、を備え、
前記表示制御手段は、さらに、前記受付手段が、前記フォーカスをいずれか１つの項目方向に移動させて、所定の周に配置された前記表示情報を選択する操作を受け付けた場合に、移動操作がなされた項目方向及びこの反対方向に限り、画面移動が可能な第２の表示モードで、前記キーコンテンツの表示情報と、当該項目方向を割り当てた項目について関連度の高い前記他のコンテンツの表示情報を表示すること、
を特徴とする表示処理装置。
【請求項２】
前記表示制御手段は、項目方向毎に、当該項目方向に割り当てられた項目を表す項目情報を、前記キーコンテンツの、各項目方向側に近接して配置すること、
を特徴とする請求項１に記載の表示処理装置。
【請求項３】
前記受付手段は、さらに、前記表示制御手段が前記第２の表示モードで表示を行っている際に、前記いずれか一つの項目に割り当てられた項目方向で最外周に配置されている他のコンテンツの表示情報を選択する操作を受け付け、
前記表示制御手段は、さらに、前記第２の表示モードで、前記項目方向で最外周に配置されている他のコンテンツの表示情報を選択する操作を受け付けた場合に、キーコンテンツの表示情報を残し、他のコンテンツの表示情報を当該項目方向と反対の方向に、表示情報一個分移動させる表示を行うこと、
を特徴とする請求項１又は２に記載の表示処理装置。
【請求項４】
前記表示制御手段は、さらに、前記第２の表示モードで、表示情報一個分移動させる表示を行うことで、前記キーコンテンツの前記表示情報と重畳する前記他のコンテンツの表示情報について、非表示にする又は前記キーコンテンツの前記表示情報を優先して表示すること、
を特徴とする請求項３に記載の表示処理装置。
【請求項５】
前記表示制御手段は、さらに、前記項目の方向として、前記表示領域内の縦方向と横方向とが存在する場合、前記表示領域内の横方向に、優先度が高い項目を割り当てて表示すること、
を特徴とする請求項１乃至４のいずれか一つに記載の表示処理装置。
【請求項６】
前記受付手段は、さらに、前記表示制御手段で第２の表示モードで表示している際に、前記特定の操作と異なる、他の特定の操作を受け付け、
前記表示制御手段は、さらに、前記受付手段が前記他の特定の操作を受け付けた際に、前記第１の表示モードで表示すること、
を特徴とする請求項１乃至５のいずれか一つに記載の表示処理装置。
【請求項７】
前記受付手段が受け付ける前記他の特定の操作は、最内周の前記他のコンテンツの表示情報の選択を受け付けること、または、予め定められたボタンの押下を受け付けること、
を特徴とする請求項６に記載の表示処理装置。
【請求項８】
前記受付手段は、さらに、前記第２の表示モードで、前記項目方向で最外周に表示される前記他のコンテンツの表示情報を選択する操作を受け付け、
前記表示制御手段は、前記第２の表示モードで、当該最外周に表示される前記他のコンテンツの表示情報を選択する操作を受け付けた場合、選択された当該他のコンテンツの表示情報が、前記項目方向の最外周の一つ前として表示されるよう、前記他のコンテンツの表示情報を前記項目方向と反対方向に移動表示を行うこと、
を特徴とする請求項１乃至７のいずれか一つに記載の表示処理装置。
【請求項９】
表示処理装置で実行される表示処理方法であって、
関連度算出手段が、検索の基点となるコンテンツであるキーコンテンツに対する、他のコンテンツ各々と、の間の関連度を、コンテンツの内容の類似性に基づいて、項目毎に算出する関連度算出ステップと、
表示制御手段が、前記キーコンテンツを示す表示情報の位置を基準として、前記項目毎に割り当てられた方向を示す項目方向に存在する表示領域上に、当該項目について関連度が高い前記他のコンテンツの表示情報を、同心形状に配置した一覧情報を、各項目方向に画面移動が可能な第１の表示モードとして、表示器に表示する第１の表示ステップと、
受付手段が、前記表示情報を選択するフォーカスを、いずれか１つの項目方向に移動させる操作を受け付ける受付ステップと、
表示制御手段が、前記受付ステップが、前記フォーカスをいずれか１つの項目方向に移動させて、所定の周に配置された前記表示情報を選択する操作を受け付けた場合に、移動操作がなされた項目方向及びこの反対方向に限り、画面移動が可能な第２の表示モードで、前記キーコンテンツの表示情報と、当該項目方向を割り当てた項目について関連度の高い前記他のコンテンツの表示情報を表示する第２の表示ステップと、
を有することを特徴とする表示処理方法。
【請求項１０】
前記第２の表示ステップは、項目方向毎に、当該項目方向に割り当てられた項目を表す項目情報を、前記キーコンテンツの、各項目方向側に近接して配置すること、
を特徴とする請求項９に記載の表示処理方法。
【請求項１１】
前記受付ステップは、さらに、前記表示制御手段が前記第２の表示モードで表示を行っている際に、前記いずれか一つの項目に割り当てられた項目方向で最外周に配置されている他のコンテンツの表示情報を選択する操作を受け付け、
前記第２の表示ステップは、さらに、前記第２の表示モードで、前記項目方向で最外周に配置されている他のコンテンツの表示情報を選択する操作を受け付けた場合に、キーコンテンツの表示情報を残し、他のコンテンツの表示情報を当該項目方向と反対の方向に、表示情報一個分移動させる表示を行うこと、
を特徴とする請求項９又は１０に記載の表示処理方法。
【請求項１２】
前記第２の表示ステップは、さらに、前記第２の表示モードで、表示情報一個分移動させる表示を行うことで、前記キーコンテンツの前記表示情報と重畳する前記他のコンテンツの表示情報について、非表示にする又は前記キーコンテンツの前記表示情報を優先して表示すること、
を特徴とする請求項１１に記載の表示処理方法。
【請求項１３】
前記第１の表示ステップは、さらに、前記項目の方向として、前記表示領域内の縦方向と横方向とが存在する場合、前記表示領域内の横方向に、優先度が高い項目を割り当てて表示すること、
を特徴とする請求項９乃至１２のいずれか一つに記載の表示処理方法。
【請求項１４】
前記受付手段は、さらに、前記表示制御手段で第２の表示モードで表示している際に、前記特定の操作と異なる、他の特定の操作を受け付け、
前記第１の表示ステップは、さらに、前記受付手段が前記他の特定の操作を受け付けた際に、前記第１の表示モードで表示すること、
を特徴とする請求項９乃至１３のいずれか一つに記載の表示処理方法。
【請求項１５】
前記受付手段が受け付ける前記他の特定の操作は、最内周の前記他のコンテンツの表示情報の選択を受け付けること、または、予め定められたボタンの押下を受け付けること、
を特徴とする請求項１４に記載の表示処理方法。
【請求項１６】
前記受付手段は、さらに、前記第２の表示モードで、前記項目方向で最外周に表示される前記他のコンテンツの表示情報を選択する操作を受け付け、
前記第２の表示ステップは、当該最外周に表示される前記他のコンテンツの表示情報を選択する操作を受け付けた場合、選択された当該他のコンテンツの表示情報が、前記項目方向の最外周の一つ前として表示されるよう、前記他のコンテンツの表示情報を前記項目方向と反対方向に移動表示を行うこと、
を特徴とする請求項９乃至１５のいずれか一つに記載の表示処理方法。